(57)【要約】      （修正有）【課題】テレビジョン受像機の操作を、視聴者個人の好みに合わせ、各個人がテレビを見たいとに、テレビ番組表を見ることなく、テレビ画面に表示される各人の好みに合った番組候補メニュから見たい番組を選択できるようにし、視聴するテレビが変わっても好みの番組候補メニュが表示されるようにする。また、録画候補番組も視聴者個人に問い合わせることで、録画を忘れることがないようにする。【解決手段】視聴者が個人ごとにＮＦＣタグを所有し、タグに好みの番組リストを記録しておく。テレビを見るときはそのタグをリモコンにかざすことで、自動的に視聴者個人の好みの番組メニュがテレビ画面に表示される。テレビには、そのテレビを使用する各人の好みの番組リストが常時記憶されていて、各人の好みの番組があるかないかがチェックされている。各人の好みの番組がある時は、各人宛に、そのことを携帯電話等で通知し、録画するかどうかの判断を問い合わせる。【選択図】図４
2014183368.tif 000002
【特許請求の範囲】
【請求項１】
テレビジョン受像機に、視聴者個人の好みを反映した視聴番組候補を推定し画面にメニュ表示する機能と個人の操作履歴を記憶する機能を有し、前記視聴番組候補の推定能力を高めていく手段と、リモコンには視聴者個人を特定するための可搬性のある記憶媒体への読書き機能を具備し個人好みの番組視聴を可能にすることを特徴とするテレビジョン操作方式。
【請求項２】
録画番組候補の表示や通信を行い、録画操作を円滑に行うことを可能にした請求項１に記載のテレビジョン操作方式。
【発明の詳細な説明】
【技術分野】
【０００１】
本発明は、リモコンを利用したテレビジョン操作の改善を図るもので、テレビジョン視聴者の好みの番組が自動的に選別される方法を、ＮＦＣ(Near Future Communication)技術を用いて行うテレビジョン操作方式に関するものである。
【背景技術】
【０００２】
テレビジョン受像機（以下、テレビと称す）の操作は赤外線リモコンを用いて、オン・オフ制御や、視聴したい番組の番組選択を行うことが一般的で、赤外線リモコンは広く普及している。近年では、各テレビチャネルの番組表が電子番組ガイド（ＥＰＧ）としてテレビ画面に表示され、旧来の毎朝夕配達される新聞のテレビ番組欄を見ながらチャネル選択を行うよりは便利になってきている。
【０００３】
一方、録画機器では、録画したい番組のジャンルなどを登録しておくことで、そのジャンルに該当する番組を自動的に録画したり、ジャンルの入力にタブレット端末を利用して行うなど、操作方法は日進月歩改善されてきている。
【先行技術文献】
【特許文献】
【０００４】
【特許文献１】特開平１１−３０８５４７
【特許文献２】特開２００６−８０９７４
【発明の概要】
【発明が解決しようとする課題】
【０００５】
特許文献１には、ＥＰＧをベースに視聴者が選択したチャネルの傾向を分析した上で、視聴者に好適な番組表を表示する技術が開示されており、特許文献２には、視聴者のジャンル設定情報に基づき視聴者の好みを反映した番組を自動的に録画する技術が開示されている。しかしながら、視聴者の好みのジャンルを入力する必要があったり、視聴者のテレビ視聴履歴を反映した精度の高い視聴者好みの情報をアップデートするという点では不十分であり、視聴者が、自分が普段視聴しているテレビと異なるテレビで視聴する場合は、好みの情報を再入力する手間があった。
【０００６】
本発明においては、視聴者は、視聴者の名前の入力や好みのジャンルなどの入力は初回だけは必要であるが、視聴を重ねる都度、自動的に視聴者好みのリストが作成され、そのリストは視聴者毎に作られるようにするので、家族など複数の人が同じテレビを使う場合でも利便性を向上できる。
【０００７】
また、個人ごとのリストは可搬性のある記憶媒体に記憶できるので、視聴するテレビが変わっても利便性は維持される。また、視聴者の好みに応じたリストに基づき番組録画も可能で、技術文献２には、録画選択の優先度を自動的に設定する技術が開示されているが、無駄な録画をしてしまう欠点がある。
【０００８】
本発明の目的は、録画時間が近づくと視聴者に録画するかどうかを自動的に問合せ、無駄な録画を省くことができるテレビジョン操作方式を提供することにある。
【課題を解決するための手段】
【０００９】
本発明においては、上記の目的を達成するために、ＮＦＣ技術を用い、ＮＦＣ技術に使われるアンテナをリモコンに配置するとともに、視聴者は視聴者特有のＲＦＩＤ(Radio Frequency Identification)タグ（以下、タグと称す）をリモコンのアンテナ部に置くだけで、視聴者の好みの番組がメニュ表示され、選択を容易化するものである。また、タグは視聴者ごとに個人で持つようにすることで、１台のテレビを複数の人が視聴するなど家庭内での典型的な使われ方のケースでは、各々の好みの番組の選択が容易になるし、異なるテレビに対しても同様の操作機能が発揮できる。なお、各人の好みはタグに記憶されているが、家庭内に置かれているテレビをデフォルトテレビとしてタグ情報、つまり各視聴者の好みの番組リストを、テレビも共有することで、リモコン内に搭載したＰＨＳ通信回路から、番組の録画の可否を視聴者の携帯電話に問い合わせることができる。
【００１０】
なお、ＮＦＣやＲＦＩＤという言葉を分かりやすく説明すれば、現在広く普及している鉄道などの輸送機関やショッピングでの電子マネーと呼ばれている技術で、上記アンテナは、輸送機関の改札口に設定され、タグはカード化され各人が所有しているものである。
【発明の効果】
【００１１】
テレビ視聴者各人の好みに応じた番組表がテレビ画面にメニュ表示されるので、画面選択がきわめて容易になり、１台のテレビを複数人で視聴する一般家庭ではより便利になる。また、異なったテレビでも同じ画面メニュが表示されるので、友人宅や親族宅に留守番に訪れたときなど便利である。さらに、視聴者の好みに合った番組録画が視聴者とリアルタイムで確認をとりながら行われるので無駄な録画を省くことができる。
【図面の簡単な説明】
【００１２】
【図１】本発明によるテレビジョン操作方式を示す全体構成図である。
【図２】リモコンの内部構成を示すブロック図である。
【図３】リモコンボタンの構成例を示す図である。
【図４】テレビの内部構成を示すブロック図である。
【図５ａ】は、テレビ画面の表示例を示す図である。
【図５ｂ】は、テレビ画面の表示例を示す図である。
【図５ｃ】は、テレビ画面の表示例を示す図である。
【図５ｄ】は、テレビ画面の表示例を示す図である。
【発明を実施するための形態】
【００１３】
以下、図面を用いて本発明の実施形態について詳細に説明する。
【００１４】
図１の全体構成図は、家庭内のテレビ１と、それを操作するリモコン２において、リモコン２がＰＨＳ公衆通信網３を介して携帯電話４と接続できる模様を示す。
【００１５】
図２はリモコンの内部構成を示すもので、テレビ操作ボタン２−４の情報をテレビ１に送信する赤外線送信回路２−１、ブルーツース（以下、ＢＴと記す）などの双方向通信技術を用いてテレビ１に保存されている視聴者の好みの番組などの情報交換を行うＢＴ無線回路２−２、録画設定の時に使用するＰＨＳ通信回路２−３を有している。また、個人の好みの視聴リストをタグから読んだり書き込んだりするため、タグアンテナ２−７、タグ読書き回路２−６、タグ情報を一時的に記憶しておく個人情報メモリ２−５、タグへの情報入力や携帯電話の番号登録操作のための各種設定回路２−８がおかれている。
【００１６】
図４は、テレビ１の内部構成を示すもので、リモコン２の赤外線送信回路の信号を受信する赤外線受信回路１−２、図２と同様なＢＴ無線回路２−２、操作履歴記憶回路１−３がある。個人好みリスト記憶回路１−１は、個人番組リストメニュ作成回路１−４と操作履歴記憶回路１−３と連動しながら、個人番組リストメニュから何が選択され実際に視聴されたのかを視聴時間とともに観察し情報を更新していく回路である。ＥＰＧリスト１−６は多くのテレビで表示されているＥＰＧそのものである。このＥＰＧリスト１−６と、個人好みリスト記憶回路１−１、さらに番組関連情報メモリ１−９をもとに、視聴者個人に応じたリストメニュが、個人番組リストメニュ作成回路１−４で作成され、リスト表示回路１−５を介して、テレビ画面ＬＣＤ１−８に個人の好みに応じた番組メニュが表示される。設定画面作成回路１−７は、操作メニュ画面を作成する回路、１−１０画面選択回路は、マルチ画面放送のときどの画面を主画面とするか等を選択する回路である。
【００１７】
図３はリモコン２の外観図を示す。
【００１８】
通常のテレビ局選択のためのテンキー（1、2、3  ．．．12と番号の付されたボタン）、ＴＶ電源ボタンに加え、タグアンテナ２−７がある。各個人が所有するタグ（図示せず）は、現在ＩＣカードと呼ばれクレジットカード形状のものが多く普及しているが、タグそれ自身はゴマ粒状のＩＣチップであるため、タグ形状としては、ＩＣカード形状のほか、チェスの駒のようなマスコットボタン状に作ったり、いろんな形状のものでの作成が可能である。もちろんリモコンはその形状のタグがタグアンテナにかざされることを意識した物理的形状が必要である。リモコンには、さらにテレビ画面に表示される操作メニュから必要なものを選択するため、携帯電話やＡＶ機器で広く使われているような上下左右のスクロールキーと決定ボタンがある。また、ＥＰＧ表示を指示するためのＥＰＧボタンも置かれている。
【００１９】
次にテレビの使用例について記述する。
【００２０】
最初の情報入力は、タグをタグアンテナ２−７に置くと、タグ内容が読まれ、個人情報メモリ２−５に保存される。タグに個人情報が書かれてないと、テレビ画面に、図５(c)に例示するように「個人名を入力してください」が出てくるので、自分を特定できる情報（ニックネームでもよい）を入力する。次に、「お好きなジャンルを選択してください」という画面で、選択肢として、ホームドラマ、お笑い、時代劇、ニュース、野球などのメニュが出るので、好みのものをいくらでも選択入力する。次に「お好きなプレイヤを入力してください」の画面で、選択肢として、俳優Ａ，俳優Ｂ、歌手Ｃ、選手Ｄなどのメニュが出るので、好みをいくらでも選択入力する。
【００２１】
リモコン２には各種設定回路２−８があり、テレビ画面を見ながらテンキーから数字情報やアルファベット情報を入力したり、カーソルを動かしながらその状況をテレビ１の設定画面作成回路１−７を介して画面に映しながら決定ボタンを押していく。その操作は、携帯電話や現今のＡＶ機器の操作と同様である。前記した「お好きなプレイヤを入力してください」が終わった時点で、個人情報メモリ２−５は入力された情報をタグ読書回路２−６に送り、その情報をタグに書き込む。このシーケンスは、置かれたタグに個人情報に何も入力されてない時のみにとられるシーケンスである。２回目以降は、タグが置かれると、まず個人情報が識別され、タグに前回の操作までの個人好みリストを更新書込みする。そのため、個人情報がテレビ１に送られ、テレビの個人好みリスト記憶回路１−１からは、そこに記憶管理されている個人の好みリストが、リモコンの個人情報メモリ２−５に送られ、タグ読書回路２−６を介してタグに書き込まれる。このシーケンスはタグに前回までの視聴履歴に基づいた個人好みリストをタグに書きこんでおくためのものである。タグが置かれていないと書き込みができないので、置かれたタイミングを活用しようとする意図である。
【００２２】
タグへの書き込みが終わると、番組視聴のためのメニュが表示される。まずは、それから数時間後までの番組候補が個人番組リストメニュ作成回路１−４で作成され、図５(b)のように画面に表示される。テレビ放送には、ＥＰＧ情報はもちろん、番組に付随する出演者情報等の関連情報（それらの一部は、販売されているテレビリモコンにあるＤボタンを押すことで見ることができる）もテレビ画面では見えないものもあるが配信されている。その情報は番組関連情報メモリ１−９に保存され、番組関連情報メモリ１−９、ＥＰＧリスト１−６と、個人好みリスト記憶回路１−１の３つの情報を比較しながら、その人の好みに合った番組リストが個人番組リストメニュ作成回路１−４で作成されている。視聴者は、図５(b)のように表示されたこのリストの中から、見たい番組があれば、カーソルで移動し決定ボタンを押せば、その番組の視聴が始まる。もし、見たい番組がなければ、図３に示したリモコンの「ＥＰＧ」ボタンを押すことで、個人の好みが反映されてないＥＰＧリスト１−６が図５(a)のように表示され、その中から見たい番組を選択すればよい。これらの操作履歴は、操作履歴記憶回路１−３に記憶され、テレビ操作の都度更新されていく。操作履歴として例えば、何月何日何時何分に、このメニュを提示したが、メニュの中からは選択されず、結果としてはメニュにない番組が選択されたという情報も記憶される。これらの情報は個人好みリスト記憶回路１−１に送られ、個人好みリストは使用を重ねる都度、最適なものなっていく。
【００２３】
次に好みの番組の録画予約の時の操作について説明する。
【００２４】
個人番組リストメニュ作成回路１−４は、タグが置かれてないときでも、常時、個人好みリスト記憶回路１−１、番組関連情報メモリ１−９、ＥＰＧリスト１−６に基づき個人ごとの番組選択メニュを用意している。そして、誰か（たとえばＸさん）がテレビを見ていると、Ｘさんの好みの番組でＸさんが録画予約を設定していないとには、図５(d)のように「Ｘさん、好みの番組が３０分後に始まります。録画予約しますか」という問い合わせが画面にでる。そのときテレビ画面は自動的に２画面表示になり、前記問合せが表示される。その問合わせに対し、録画するかしないかを画面に現れたメニュから選択し決定すればよい。個人番組リストメニュ作成回路１−４で作成されるメニュは、今テレビを見ているＸさん一人用だけでなく、そのテレビに個人情報を登録し、そのテレビを使っている人（たとえば、Ｙさん、Ｚさん）がいる。今テレビを見ていないＹさん、Ｚさんに対しても録画予約が設定されているかを確認し、好みの番組なのに予約設定されてないときは、Ｙさん、Ｚさんが設定したＰＨＳ電話番号に、「Ｙさん、ｇｇｇ番組が３０分後に始まります、録画しますか？」の問合せを自動的にＹさんの携帯電話４に送る。Ｙさんは録画するかしないかの答えを携帯電話４からテレビに返せば、テレビは自動的に録画設定を行う。この操作の例は図示しないが、ＰＨＳ電話には、操作のための簡単なユーテリテイソフトを組みこんでおけばよい。また、設定したＰＨＳ電話番号は、個人好みリスト記憶回路１−１に記憶されている。テレビ１がオフ状態で誰もテレビ１を視聴していないときでも、そのテレビ１の個人好みリスト記憶回路１−１に、携帯電話番号登録がなされている個人のすべてに対し録画候補番組を電話連絡する。そのため、個人好みリスト記憶回路１−１と、ＢＴ無線回路２−２、個人番組リストメニュ作成回路１−４、番組関連情報メモリ１−９、ＥＰＧリスト１−６は、テレビ１がオフのときでも通電されている。地上波デジタル放送では、前記したように番組関連情報を多種送信でき、その内容はテレビ局や番組によって異なる。テレビ１の番組関連情報メモリ１−９は、テレビ局から発信される最新の情報を監視している。またマルチ画面放送といって、一つのテレビ局が複数の番組を放送できることも地上波デジタル放送の特徴であるが、複数の番組として、まったく異なる番組である場合（たとえば、ニュースと相撲中継）や、一つの番組で異なるテレビカメラ映像（たとえば、野球中継では、野球中継そのものに加え、両軍ベンチ模様放送のために専属に設けられたテレビカメラ映像）も放送できる。個人番組リストメニュ作成回路１−４では、個人の好みを反映しながら、画面選択回路１−１０に選択信号を送り、マルチ放送画面が３つあるときにどれを主画面にし、どれを副画面として表示するか、副画面だけ表示するかなどの指示を行う。野球の例ではひいき球団ベンチを主画面、ゲーム進行副画面に設定したり、歌番組では歌手カメラ、楽団カメラ、ダンスカメラの３つがあると仮定したとき、野球番組と同様に、どのような画面構成で視聴するかを決めることができる。番組関連情報メモリ１−９は絶えず放送内容を示した番組関連情報を受信しながら更新し、マルチ画面放送のときは、「ただいま、歌手、楽団、ダンスカメラの選択ができます」という表示を画面に行い、視聴者に選択を促すこともできる。もちろん、視聴者が選択した情報はテレビ１の操作履歴記憶回路１−３を介して、個人好みリスト記憶回路１−１に保管されている。
【００２５】
以上の説明において、リモコンとテレビとの通信手段として、旧来の赤外線通信と、双方向通信が可能なＢＴ無線通信の両方を持っている例で説明したが、赤外線通信を、ＢＴ無線通信で行うことは容易であり、その場合、赤外線送信回路２−１と赤外線受信回路１−２は省くことができる。また、録画問合せの通信手段としてＰＨＳ通信を例にしているが、３Ｇや４Ｇ携帯電話、あるいは電話線を用いた加入電話回線の利用も可能である。ＰＨＳ通信は消費電力が少ないためリモコンのように電池で作動するものに対しては最適である。さらに本発明では、視聴者個人が所有する記憶媒体としてＮＦＣタグを用いた例を示したが、ＳＤカードなど他の記憶媒体を用いてもよい。
【産業上の利用可能性】
【００２６】
新しいテレビ操作についての発明であり、このような便利機能を搭載した新種テレビの生産、販売が大いに期待できる。
【符号の説明】
【００２７】
１    テレビ
１−１  個人好みリスト記憶回路
１−２  赤外線受信回路
１−３  操作履歴記憶回路
１−４  個人番組リストメニュ作成回路
１−５  リスト表示回路
１−６  ＥＰＧリスト
１−７  設定画面作成回路
１−８  ＬＣＤ
１−９  番組関連情報メモリ
１−１０  画面選択回路
２    リモコン
２−１  赤外線送信回路
２−２  ＢＴ無線回路
２−３  ＰＨＳ通信回路
２−４  テレビ操作ボタン
２−５  個人情報メモリ
２−６  タグ読書回路
２−７  タグアンテナ
２−８  各種設定回路
３    ＰＨＳ公衆通信網
４    携帯電話
【図１】
2014183368.tif 000003
【図２】
2014183368.tif 000004
【図３】
2014183368.tif 000005
【図４】
2014183368.tif 000006
【図５ａ】
2014183368.tif 000007
【図５ｂ】
2014183368.tif 000008
【図５ｃ】
2014183368.tif 000009
【図５ｄ】
2014183368.tif 000010